(57)【要約】【課題】  未利用資源であるリンゴの剪定枝を利用し、安定栽培を可能とする鹿角霊芝の栽培方法を提供する。【解決手段】  リンゴの細い剪定枝と太い剪定枝のオガ粉を混合した培地に、所定量のふすま，水，水溶性有機ゲルマニウムを混入し、ミキサーで攪拌・混合して、鹿角霊芝の培地を生成した。農業用ビニールハウス内に鹿角霊芝育成用ビニールハウスを設け、その育成用ビニールハウスの中で培養した菌糸を成長させた。これにより、本来の背丈まで成長する有機ゲルマニウムを含有する鹿角霊芝を栽培することができた。また、小さな穴１２を有する遮光シート１０で鹿角霊芝育成用ビニールハウスを被うことにより、鹿角霊芝の生育に必要な光の調整が可能となり、かつ、育成用ビニールハウス内を所定の温度・湿度に保つことが可能となった。【選択図】  図１
2008271917.tif 000002
【特許請求の範囲】
【請求項１】
リンゴの細い剪定枝と太い剪定枝とを収集し、それらの剪定枝を粉砕し混合したオガ粉を培地とすることを特徴とする鹿角霊芝の栽培方法。
【請求項２】
前記太い剪定枝をオガ粉全体の４０重量％乃至７５重量％含有させることを特徴とする請求項１記載の鹿角霊芝の栽培方法。
【請求項３】
前記培地に水溶性有機ゲルマニウムを混合させることを特徴とする請求項１又は請求項２記載の鹿角霊芝の栽培方法。
【請求項４】
前記鹿角霊芝の栽培方法において、鹿角霊芝の育成用ビニールハウスを少量の光が射し込むように設けた穴を有する遮光シートで被うようにしたことを特徴とする請求項１乃至請求項３記載の鹿角霊芝の栽培方法。
【発明の詳細な説明】
【技術分野】
【０００１】
本発明は、鹿角霊芝の栽培方法に関する。
【背景技術】
【０００２】
近年、環境保護の観点から、バイオマス資源（産業廃棄物）の有効利用が求められている。本願特許出願人が所在する青森県では、リンゴ栽培において毎年約 １５万トンの剪定枝が産業廃棄物として排出されているが、その産業廃棄物の６割は薪や木炭の原料として利用され、残りの４割（約６万トン）の剪定枝は未利用のまま園地において焼却処分されていた。産業廃棄物として処分されているリンゴの剪定枝には、機能性食品、医薬品に利用されるタンパク多糖体、ポリフェノール類、フラボノイド類などの有効成分が多量に含有されており、従来からリンゴの剪定枝の有効活用が求められていた。
【０００３】
一方、キノコ類は、生活習慣病、特にガン・高血圧・糖尿病などに有効であることが知られ、健康食品や漢方薬として使用されていた。特に、鹿角霊芝は、健康維持のために欠かせないβ（ベータ）−グルカンを約４０％乃至５０％含有するキノコであり、鹿角霊芝を使用した健康食品、機能性食品等が近年注目されている。
【０００４】
従来のキノコ栽培では、その培地に年輪が１０年以上の太い木を使用するのが一般的であった。上記鹿角霊芝の栽培では、落葉樹であるくむぎ、樺、ブナなどの木を伐採し栽培されていたが、鹿角霊芝栽培のために伐採される木は、樹齢１０年乃至３０年以上の太い木であった。しかし、山から木を切り倒して太い木ばかりを使用する従来のキノコ栽培は、森の木々の再生の時間から見ても環境破壊と背中合わせの産業となっていた。
【０００５】
キノコを使用した健康食品や機能性食品等は、生活習慣病に効果のある有効成分を低コストで摂取できる効果があるため、現代社会の高齢化に伴う医療費の軽減に役立つものとして注目されている。
また、タンパク多糖体、ポリフェノール類、フラボノイド類、イソフラボン、キチン質、有機ゲルマニウムは、生活習慣病および基礎免疫力の改善に効果的であることは既に知られている。特に、有機ゲルマニウム（別称アサイゲルマニウム）は、抗ガン作用、鎮痛作用、抗老化作用などの生理活性作用を有することが確認されている。鹿角霊芝は、鹿角霊芝に培地に含まれる有効成分を吸収させるというバイオコンバージョン技術（微生物の活動によって培地の有効成分を回収する技術）により、培地を介して有機ゲルマニウムを吸収することができるキノコであることが知られている。鹿角霊芝に吸収させる有機ゲルマニウムの濃度を変えることにより、鹿角霊芝の機能性を高めることもできる。有機ゲルマニウムを摂取することができる鹿角霊芝は、より付加価値の高いキノコとして従来より健康食品や機能性食品等に利用されている。
【０００６】
従来、有機ゲルマニウムを含むキノコの栽培方法等が提供されている（例えば、特許文献１及び２）。
【特許文献１】特開平２−１５４６２０
【特許文献２】特開平９−１４０３７４
【０００７】
特許文献１のキノコの栽培方法は、培養基（培地）に有機ゲルマニウムを所定量添加した人工培地でキノコを栽培することにより、多くの収穫を得ることができるものであった。
【０００８】
特許文献２の有機ゲルマニウムを含む担子菌菌体及びその製造方法は、特許文献１のキノコの栽培方法により霊芝に有機ゲルマニウムを含有させる方法を改善するものである。特許文献１のキノコの栽培方法により霊芝に有機ゲルマニウムを含有させようとすると、霊芝が子実体になるまでには約５ヶ月（仮伏せ２ヶ月、本伏せ３ヶ月）程の期間を要し、収穫まで長期化してしまうという問題があった。
また、霊芝は、ほだ木（培養基）から有機ゲルマニウムをあまり吸収しないという問題があった。特許文献２の担子菌菌体及びその製造方法は、担子菌例えば霊芝菌菌体培養のための培養基に有機ゲルマニウムを含有させ、この培養基にて霊芝菌菌体を培養し、有機ゲルマニウムを含む霊芝を菌体の状態で得ることができるようにしたものである。また、培養基（培地）にジャガイモ培地やタマネギ培地などを用いることによりその培地に含有される有機ゲルマニウム量に応じて容易に高めることができる。培養にほだ木は必要なく、有機ゲルマニウムが菌体以外のものに吸収されてしまうことはないため有機ゲルマニウムの利用率も子実体の場合に比べて大幅に向上できるものである。
【０００９】
しかし、上記特許文献２の有機ゲルマニウムを含む担子菌菌体及びその製造方法は、培地としてジャガイモやタマネギを利用するものであり、未利用資源であるリンゴの剪定枝を利用するという発明者の意図とは合致しないものであった。
【００１０】
また、鹿角霊芝は、自然界において、霊芝（和名：マンネンタケ、サルノコシカケ科に属するキノコ）が日照、湿度、温度などの特定の栽培条件下にて成長すると、その霊芝の中に数万本に一本の割合で発生し、鹿の角のような独特の形をして成長するものであった。従って、鹿角霊芝は、その栽培条件が変わると普通の霊芝となってしまうため、日照、温度、湿度が変化し易い屋外に組み立てられた農業用ビニールハウス内での鹿角霊芝の栽培は困難であった。また、歩留まりが悪いため、安定栽培するには相当の設備投資も必要となっていた。
【発明の開示】
【発明が解決しようとする課題】
【００１１】
本発明は、上述の欠点を解決するために、未利用資源であるリンゴの剪定枝を利用し、安定栽培を可能とする鹿角霊芝の栽培方法を提供することを目的とするものである。
【課題を解決するための手段】
【００１２】
本発明の鹿角霊芝の栽培方法は、リンゴの細い剪定枝と太い剪定枝とを収集し、それらの剪定枝を粉砕し混合したオガ粉を培地とするようにしたものである。
【００１３】
また、前記太い剪定枝をオガ粉全体の４０重量％乃至７５重量％含有させるようにしたものである。
また、前記培地に水溶性有機ゲルマニウムを混合させるようにしたものである。
また、前記鹿角霊芝の栽培方法において、鹿角霊芝の育成用ビニールハウスを少量の光が射し込むように設けた穴を有する遮光シートで被うようにしたものである。
【発明の効果】
【００１４】
本発明の鹿角霊芝の栽培方法によると、鹿角霊芝栽培の培地としてリンゴの剪定枝のオガ粉を用いることができる。従来の太い木に代えて、毎年大量に焼却されるリンゴの剪定枝を鹿角霊芝栽培に使用することで環境破壊を防止でき、かつ、産業廃棄物の排出を軽減できる。
【００１５】
また、鹿角霊芝にリンゴの剪定枝の有効成分や有機ゲルマニウムを吸収させることができ、付加価値の高い鹿角霊芝を提供することが可能となる。
さらには、従来既知の農業資材を用いて鹿角霊芝の安定栽培を可能とするため、安価な設備投資で付加価値の高い鹿角霊芝を栽培することが可能となる。
【発明を実施するための最良の形態】
【００１６】
本発明は、リンゴの剪定枝を用いて鹿角霊芝を栽培し、その栽培によりリンゴの剪定枝に含まれる有効成分や有機ゲルマニウムを含有する付加価値の高い鹿角霊芝の栽培を実現するものである。
【実施例１】
【００１７】
本発明の鹿角霊芝の栽培方法を以下の（１）乃至（８）の栽培工程に基づいて説明する。
（１）リンゴの剪定枝集め
リンゴの細い剪定枝と太い剪定枝を収集した。本願において、「細い剪定枝」とは樹齢が２年乃至４年の枝であり、「太い剪定枝」とは樹齢が５年乃至７年の枝である。
【００１８】
（２）剪定枝の粉砕及びそのオガ粉のふるい選別
収集したリンゴの細い剪定枝と太い剪定枝とを粉砕機で別々に粉砕し、それぞれオガ粉化した。粉砕により得たオガ粉を直径６ｍｍのふるい（篩）を使用して、粗い木片等を除去した。上記ふるい選別は、後述する培地の瓶詰め工程の際、粗い木片等が瓶の口からはみ出ることを防止するものである。粗い木片等が瓶の口からはみ出ると、培地殺菌終了後に雑菌やカビ類を誘発する原因となる。
【００１９】
（３）材料の攪拌及び混合
上記ふるいにかけたリンゴの細い剪定枝と太い剪定枝のオガ粉に、所定量のふすま，水，水溶性有機ゲルマニウムを混合する。本実施例では、細い剪定枝のオガ粉１００ｋｇ、太い剪定枝のオガ粉２００ｋｇ（リンゴの太い剪定枝のオガ粉をオガ粉全量の約６６％含有させた培地）に、ふすま１１５ｋｇ、水５００リットル、１３．７５ｇの水溶性有機ゲルマニウムを混入し、ミキサーで攪拌・混合した。
【００２０】
従来のキノコ栽培では、オガ粉、ふすま、水を攪拌・混合して生成した培地が使用されていた。オガ粉には、前述したように、樹齢がほぼ１０年乃至３０年以上のくむぎ等の木を粉砕したものが使用されていたが、本発明は、従来のオガ粉に代えて、リンゴの細い剪定枝と太い剪定枝のオガ粉を混合したものを培地として使用するものである。
【００２１】
また、本実施例では、鹿角霊芝の機能性を高めるため、培地に水溶性有機ゲルマニウムを加え、ミキサーで混合した。なお、培地に均一に混ざるようにするため、じょうろ等を用いて少量ずつ加えた。
従来から、鹿角霊芝はバイオコンバージョンにより培地からその培地に含まれる有効成分を吸収することが知られている。本実施例では、バイオコンバージョン技術を用いて、培地を介して本来鹿角霊芝が本来含有しない成分である有機ゲルマニウムを鹿角霊芝に吸収させ、有機ゲルマニウムを含有する付加価値の高い鹿角霊芝を栽培することを試みた。また、有機ゲルマニウムを含有する鹿角霊芝の栽培において培地中の有機ゲルマニウムの濃度をコントロールすることにより、鹿角霊芝の使用目的に応じた有機ゲルマニウムの摂取が可能な鹿角霊芝を生産することが可能となる。
【００２２】
（４）培地の瓶詰め
自動瓶詰機を使用して、高さ約１７．５ｃｍ、底面直径約９．５ｃｍの瓶に上記材料攪拌・混合工程により生成された培地を詰めた。
【００２３】
（５）培地の殺菌
培地殺菌を行う殺菌釜には、常圧型と高圧型がある。本実施例では、高圧型釜を用いて、水の沸点以上の温度（１３０℃）で培地の殺菌を行い、雑菌・カビの発生を防止した。
【００２４】
（６）植菌及び菌の培養
培地が冷めた後、植菌した。菌の培養は、冷蔵庫の中で１ヵ月から１ヵ月半行った。冷蔵庫の温度及び湿度は、温度１５乃至１６℃、湿度７０％乃至８０％に調節した。冷蔵庫中では、菌糸が拡大した。
【００２５】
（７）鹿角霊芝の発生・育成
屋外に組み立てた農業用ビニールハウスの中に約１４００本程度のビンを収容できる小さな育成用ビニールハウスを設け、その育成用ビニールハウスの中で上記冷蔵庫の中で培養した菌糸を成長させた。約３ヶ月程で鹿角霊芝が発生した。
【００２６】
また、鹿角霊芝を育成するためには、鹿角霊芝を育成するための育成用ビニールハウス内部の温度・湿度を一日を通して一定に保つ必要がある。鹿角霊芝の栽培は、温度２５℃、湿度９０％の環境下で行った。なお、温度・湿度が一定に保持されない場合は、普通の霊芝が発生する。
【００２７】
本実施例では、当初は、温度・湿度に一定に保持する手段として、育成用ビニールハウスに農業用の遮光ネットを使用した。遮光ネットは、遮光を目的とした網状の布からなるものであり、遮光率が５０％乃至９０％などのものがある。この遮光ネットを育成用ビニールハウスに被せることによって、育成用ビニールハウス内の温度・湿度を一定に保つことが可能であった。しかし、曇天時に突然晴れ間が出たりする場合は、直射日光により育成用ビニールハウス内部の温度・湿度が急激に変化した。農業用の遮光ネットでは、常に、育成用ビニールハウス内の温度・湿度を一定に保つことができなかった。
【００２８】
本願発明者は、上記問題の解決のために、鹿角霊芝は自然界においてどのような場所に自生しているかを調査した。発明者の調査により、鹿角霊芝は木漏れ日のある場所で自生しており、鹿角霊芝の育成において日の光はあまり必要ないことが分かった。そこで、リンゴの栽培でよく使われているリンゴの着色を促進するための反射シート（アルミニウムを蒸着させた反射用フィルム）で育成用ビニールハウスを被服することを考えた。この反射シートは、その表面（反射シートの平面）にアルミニウムが蒸着されており、直射日光をすべて反射し、日光を全く通さない遮光率１００％の遮光シートである。
【００２９】
また、鹿角霊芝を育成するためには、日光を遮るとともに、木漏れ日程度の少量の光を鹿角霊芝に射し込ませる必要があった。上記反射シートは、リンゴの木（果樹）の下に敷き日光をリンゴ（果実）に反射させてリンゴの着色を促進するために使用されているものである。図１は、反射シート（遮光シート）の平面図である。この反射シート（遮光シート）１０には、当該シート１０が風に吹かれて舞わないように同シート１０を地面に固定させるためのシート押さえ用の穴１２が設けられている。穴１２は、約直径１０ｍｍ程度の小さな穴で、反射シート１０の長手方向とそれに直交する方向に所定の間隔で形成されている。
【００３０】
上記穴１２を有する反射シート（遮光シート）１０を育成用ビニールハウスに被せたところ、穴１２から育成用ビニールハウス内に少量（又は微量）の複数の光が射し込み、木漏れ日に近似した光を鹿角霊芝に射し込むことができた。これにより、鹿角霊芝の生育に必要な光の調整が可能となった。また、曇天時に突然晴れ間が出た場合であっても、直射日光が反射シート１０により遮られ、育成用ビニールハウス内の温度・湿度を一定に保つことができた。
【００３１】
なお、本実施例では、直射日光を遮る遮光手段として、リンゴ栽培に使用されている反射シートを用いたが、遮光率１００％の遮光が可能なものでありかつ鹿角霊芝の育成用ビニールハウス内に少量の光が射し込むような穴を形成することが可能な遮光シートであれば足り、上記反射シートに限定するものではない。
【００３２】
（９）収穫・乾燥
上記育成用ビニールハウスでは、全長３０ｃｍ程度に成長した鹿角霊芝が収穫できた。
【００３３】
次に、リンゴの細い剪定枝と太い剪定枝のオガ粉の混合比に対する鹿角霊芝の長さ（背丈）及び成長率を表１に基づいて説明する。表１は、鹿角霊芝の長さ（背丈）及び成長率を表すものである。
【００３４】
【表１】
2008271917.tif 000003
【００３５】
上記実施例の比較例として、木炭の原料と成り難くその多くが焼却処分となるリンゴの細い剪定枝からなるオガ粉（リンゴの太い剪定枝を全く使用しないオガ粉）を培地とする鹿角霊芝の栽培を行った。この栽培では、鹿角霊芝の成長は７ｃｍ程度にとどまり本来の背丈（全長３０ｃｍ程度）まで成長しなかった。また、この場合の単位面積当りの鹿角霊芝の収量は、本来の背丈まで成長した鹿角霊芝の収量の２５％乃至３０％しかなく、鹿角霊芝の安定栽培を行うことはできなかった。
上記育成不良の原因につき、本願発明者は、樹皮（バーク）の堆肥化が、通常使用される木のオガ粉を堆肥化するのに比べて微生物が分解するスピードが遅い事に着目した。リンゴの細い剪定枝は、そのほとんどが樹皮で構成されており、微生物としての霊芝の菌がその樹皮を分解するのには相当の時間を必要とするためであると考えた。なお、上記バーク堆肥（樹皮だけの堆肥）は、農業で使用される一般的堆肥である。
また、本願発明者は、樹齢が１０年乃至３０年以上の木のオガ粉を培地として使用する従来の鹿角霊芝の栽培では霊芝の生育は良好であることから、鹿角霊芝が本来の背丈まで成長できるようにするためには、茸類や微生物類が分解し易い樹齢の大きい木材のオガ粉を含む培地を使用する必要があると考えた。
【００３６】
本願発明者は、上記考えに基づいて、リンゴの細い剪定枝に太い剪定枝を混合して、鹿角霊芝の栽培を行った。その結果、樹齢が５年乃至７年のリンゴの太い剪定枝をオガ粉全体の４０重量％乃至７５重量％混合することにより、全長３０ｃｍ程度の鹿角霊芝を栽培できることが分かった。
【００３７】
リンゴの太い剪定枝をオガ粉全体の４０重量％未満とすると、本来の背丈まで成長しない鹿角霊芝が多く栽培され、鹿角霊芝の安定栽培を図ることはできなかった。
【００３８】
また、リンゴの太い剪定枝のオガ粉をオガ粉全体の７５重量％を超えて混合しても鹿角霊芝を栽培することも可能であったが、この場合、リンゴの細い剪定枝はほとんど利用されず、リンゴの剪定枝を利用するという目的が達成できない。
さらには、リンゴの細い剪定枝のオガ粉をできるだけ多く混合することで、リンゴの細い剪定枝に含まれる有効成分を鹿角霊芝に吸収させることができ、多様な有効成分を含有するより付加価値の高い鹿角霊芝を得ることができる。
なお、表１の鹿角霊芝の長さ（背丈）及び成長率は、後述の鹿角霊芝の発生・育成期間（約３ヶ月）によるものである。
【００３９】
次に、上記実施例で収穫された約１３４０本の鹿角霊芝を乾燥させ、乾燥させた鹿角霊芝をサンプルとして、有機ゲルマニウムの定量試験を行った。表１は、有機ゲルマニウムの定量試験結果を表すものである。なお、上記定量試験は、硝酸分解法、フレーム原子吸光光度法（絶対検量線法）により行った。
【００４０】
【表２】
2008271917.tif 000004
【００４１】
上記定量試験にサンプルとして用いた鹿角霊芝の有機ゲルマニウムの含有量を測定した。また、同試験では、鹿角霊芝の根元部と先端部の有機ゲルマニウムの含有量を測定した。
上記試験の結果、鹿角霊芝の根元部５．６６４８５ｇ中、１４．５μｇの有機ゲルマニウムが測定された。また、鹿角霊芝の先端部６．６６４５４ｇ中、２．８μｇの有機ゲルマニウムが測定された。よって、本発明により、有機ゲルマニウムを含有する鹿角霊芝の栽培が可能であることが分かった。
【００４２】
以上のように、本発明により、リンゴの剪定枝を培地とする鹿角霊芝の栽培が可能であり、有機ゲルマニウムを含有させた付加価値の高い鹿角霊芝の栽培が可能であることが分かった。
また、本発明による鹿角霊芝の栽培では、普通の霊芝の発生は確認されなかった。本発明によると、野菜・花の促成栽培等に用いられている一般の農業用ビニールハウスを使った鹿角霊芝の栽培が可能となり、鹿角霊芝栽培のための新たな設備投資を行うことなく、鹿角霊芝の安定栽培が可能となる。
【図面の簡単な説明】
【００４３】
【図１】遮光シートの平面図である。
【符号の説明】
【００４４】
１０  遮光シート
１２  穴
【図１】
2008271917.tif 000005